(57)【要約】【課題】サイズ合わせの部分において奥側と手前側の構成は同じであるが、より簡単かつ改善された操作により用紙サイズを揃えることができる給紙装置を提供する。【解決手段】奥側のサイドフェンス７１の底部に設けた突起７１ａをガイド溝８０ａから下方へ突出させてワイヤ７１Ａの一端を固定し、他端側をサイドフェンス移動用ハンドル７２側へ伸ばして巻き取り軸７５で巻き取れるようにする。ワイヤ７１Ｂは、一端を巻き取り軸７５で巻き取れるように取り付け、他端側をプーリ７６に半周ほど掛け回し、端部を、ガイド溝８０ｂから下方へ突出させてある手前側のサイドフェンス７１の底部に設けた突起７１ｂに固定する。サイドフェンス移動用ハンドル７２を操作して巻き取り軸７５で巻き取ると、手前側のサイドフェンス７１はプーリ７６を介して奥側に移動し、奥側のサイドフェンス７１は手前側に移動する。【選択図】図３
2010058968.tif 000002
【特許請求の範囲】
【請求項１】
用紙収納部と、該用紙収納部に収納された用紙を呼び出す呼出手段と、前記用紙収納部に用紙のサイズ方向と送り方向にそれぞれサイドフェンスを備え、
前記用紙呼出手段によって呼び出された用紙を１枚ずつ分離して給送する給紙分離部を備えた給紙装置において、
用紙搬送方向と直交方向の用紙の幅方向を規制するサイドフェンス機構を備え、
該サイドフェンス機構が、
前後の各サイドフェンスを移動させるための手段として前記用紙収納部の底面側に配したワイヤを各サイドフェンスに固定し、
手前側のサイドフェンスはプーリを介してワイヤを引いた時、奥側に移動させ、
奥側のサイドフェンスはワイヤを引いた時、手前に移動させる構成とし、
固定されたワイヤの他端を給紙トレイ前方の巻き付け部材により巻き取り可能としてなることを特徴とする給紙装着。
【請求項２】
請求項１の給紙装置において、
前記巻き付け部材軸の先端にワンウエイクラッチを搭載した操作部材を備え、
該操作部材により前記サイドフェンスを操作可能としてなることを特徴とする給紙装着。
【請求項３】
請求項２の給紙装置において、
前記サイドフェンスの用紙面と接する部分に用紙端部を検知する検知手段を有し、
該検知手段による検知を確認できるように前記給紙トレイ前方に表示手段を設けたことを特徴とする給紙装置。
【請求項４】
請求項１から３のいずれかの給紙装置において、
前記用紙収納部の奥側のサイドフェンスに取り付けるワイヤは、該奥側のサイドフェンスの底部に設けた突起を前記用紙収納部に設けた奥側のサイドフェンス移動ガイド用の溝から下方へ突出させて前記ワイヤの一端を固定し、他端側を前記サイドフェンス移動用の操作体側へ取り付けて巻き取り可能とし、
前記用紙収納部の手前側のサイドフェンスに取り付けるワイヤは、一端を前記操作体で巻き取れるように取り付け、他端側を前記用紙収納部の底面に設けたプーリに掛け回し、端部を、前記手前側のサイドフェンス移動ガイド用の溝から下方へ突出させるように設けた前記手前側のサイドフェンス７１の底部に設けた突起７１ｂに固定し、
前記操作体を操作して巻き取ることによって手前側のサイドフェンスが前記プーリを介して奥側に移動し、前記奥側のサイドフェンスが手前側に移動することを特徴とする給紙装置。
【請求項５】
前記請求項１から４のいずれかに記載の給紙装置を備えたことを特徴とする画像形成装置。
【請求項６】
請求項５の画像形成装置が、複写機、ファクシミリ、プリンタ、これらの複合機等であることを特徴とする画像形成装置。
【発明の詳細な説明】
【技術分野】
【０００１】
本発明は給紙を備える複写機、ファクシミリ、プリンタ、これらの複合機等の画像形成装置の給紙装着と、これを備えた画像形成装置に関し、詳細にはその操作性に関わるものである。
【背景技術】
【０００２】
従来の給紙トレイの構成では、用紙を給紙トレイに収納し、用紙サイズを揃えるために、大概の給紙トレイにおいて用紙を前後方向に挟みこむサイドフェンスを装着している。この方式は数多くの給紙装置で採用されており、一般化しているといっても過言ではない。このように多く採用されている機構であるが、操作性に関しては奥側と手前側から合わせるため操作性が一概に良いとは言えない。
【０００３】
【特許文献１】特許3411119号公報
【特許文献２】特許3740287号公報
【特許文献３】特開平H11-301860号公報
【特許文献４】特開2007-161461号公報
【発明の開示】
【発明が解決しようとする課題】
【０００４】
本発明では、サイズ合わせの部分において奥側と手前側の構成は同じであるが、より簡単かつ改善された操作により用紙サイズを揃えることができる給紙装置と、この給紙装置を備えた画像形成装置を提供することを目的とする。
【課題を解決するための手段】
【０００５】
本発明の給紙装置のうち請求項１に係るものは、用紙収納部と、該用紙収納部に収納された用紙を呼び出す呼出手段と、前記用紙収納部に用紙のサイズ方向と送り方向にそれぞれサイドフェンスを備え、前記用紙呼出手段によって呼び出された用紙を１枚ずつ分離して給送する給紙分離部を備えた給紙装置において、用紙搬送方向と直交方向の用紙の幅方向を規制するサイドフェンス機構を備え、該サイドフェンス機構が、前後の各サイドフェンスを移動させるための手段として前記用紙収納部の底面側に配したワイヤを各サイドフェンスに固定し、手前側のサイドフェンスはプーリを介してワイヤを引いた時、奥側に移動させ、奥側のサイドフェンスはワイヤを引いた時、手前に移動させる構成とし、固定されたワイヤの他端を給紙トレイ前方の巻き付け部材により巻き取り可能としてなることを特徴とする。
【０００６】
請求項２に係るものは、請求項１の給紙装置において、前記巻き付け部材軸の先端にワンウエイクラッチを搭載した操作部材を備え、該操作部材により前記サイドフェンスを操作可能としてなることを特徴とする。
【０００７】
請求項３に係るものは、請求項２の給紙装置において、前記サイドフェンスの用紙面と接する部分に用紙端部を検知する検知手段を有し、該検知手段による検知を確認できるように前記給紙トレイ前方に表示手段を設けたことを特徴とする。
【０００８】
請求項４に係るものは、請求項１から３のいずれかの給紙装置において、前記用紙収納部の奥側のサイドフェンスに取り付けるワイヤは、該奥側のサイドフェンスの底部に設けた突起を前記用紙収納部に設けた奥側のサイドフェンス移動ガイド用の溝から下方へ突出させて前記ワイヤの一端を固定し、他端側を前記サイドフェンス移動用の操作体側へ取り付けて巻き取り可能とし、前記用紙収納部の手前側のサイドフェンスに取り付けるワイヤは、一端を前記操作体で巻き取れるように取り付け、他端側を前記用紙収納部の底面に設けたプーリに掛け回し、端部を、前記手前側のサイドフェンス移動ガイド用の溝から下方へ突出させるように設けた前記手前側のサイドフェンス７１の底部に設けた突起７１ｂに固定し、前記操作体を操作して巻き取ることによって手前側のサイドフェンスが前記プーリを介して奥側に移動し、前記奥側のサイドフェンスが手前側に移動することを特徴とする。
【０００９】
請求項６に係る画像読取装置は、前記請求項１から４のいずれかに記載の給紙装置を備えたことを特徴とする。
【００１０】
請求項５に係る画像形成装置は、請求項５の画像形成装置が、複写機、ファクシミリ、プリンタ、これらの複合機等であることを特徴とする。
【発明の効果】
【００１１】
本発明によれば、用紙の幅方向を規制するサイドフェンスにワイヤを接続し、用紙セット時に奥側のサイドフェンスの場合はワイヤを手前に引くとサイドフェンスは手前側に移動させ、また手前側のサイドフェンスはワイヤを引いた時に奥側に移動するようにプーリを介してワイヤを引く構成とし、このワイヤの端部を同じ軸に巻き付け同じ方向に廻すことにより、奥側のサイドフェンスは手前側に移動し、また手前側のサイドフェンスは奥側に移動して用紙の幅方向を規制することができ、これによりワンアクションで用紙のセットが可能となる。
【発明を実施するための最良の形態】
【００１２】
以下本発明を実施するための最良の形態を、図に示す実施例を参照して説明する。なお以下に説明する実施例では複写装置を例にとって説明するが、本発明は複写装置への実施には限定されず、画像形成を行う種々の装置に適用可能である。
【実施例１】
【００１３】
図１は、本発明に係る画像形成装置の一例である複写装置の概略構成を示す断面図である。この図に示す複写装置１０は、その中央に画像形成部１が配置され、この画像形成部１の下方に給紙部２が配置されている。給紙部２は各段に給紙トレイ２１を備えている。
【００１４】
画像形成部１の上方には原稿を読み取る読取部３が配設されている。画像形成部１の左側には排紙収納部４が形成され、画像形成された用紙が排紙収納される。
【００１５】
画像形成部１には作像ユニット６が配置され、像担持体である感光体ドラム６１の周囲には、感光体表面に帯電処理を行う帯電器６２、感光体ドラム６１の表面に形成された静電潜像を可視化する現像装置６３及び感光体ドラム６１に残留するトナーを除去回収するクリーニング装置６４等が配置されている。また、作像ユニット６の上方には、画像情報を感光体表面にレーザー光で照射する露光装置７が配設されている。そして、感光体ドラム６１の下には、感光体６１上に作像されたトナー像を用紙に転写する転写装置５１が配置されている。
【００１６】
またその転写装置５１の側方には、用紙上に転写されたトナーを、一対のローラ間を通過して熱と圧力を加えることによってトナー像を定着処理する定着装置５２が配置されている。定着装置５２を通過した用紙は排紙ローラ５３により排紙収納部４に排紙される。
【００１７】
給紙部２においては、給紙トレイ２１に未使用の用紙が収容されており、回動可能に支持された底板２４が最上紙をピックアップローラ２５が当接可能な位置まで上昇させる。
【００１８】
給紙ローラ２６の回転により、最上紙は給紙トレイ２１から送り出され、レジストローラ２３へと搬送される。レジストローラ２３は用紙の搬送を一時止め、感光体ドラム６１表面のトナー像と用紙先端との位置関係が所定の位置になるよう、タイミングをとって回転が開始するよう、制御される。
【００１９】
読取部３では、コンタクトガラス３１上に載置される原稿の読み取り走査を行うために原稿照明用光源とミラーよりなる読み取り走行体３２、３３が往復移動する。この読み取り走行体３２、３３により走査された画像情報は、レンズ３４の後方に設置されているＣＣＤ３５に画像信号として読み込まれる。この読み込まれた画像信号は、画像処理部（図示せず）によってデジタル化され画像処理される。
【００２０】
画像形成部１では、画像処理部によって処理された画像信号に基づいて、露光装置７内のレーザダイオード（図示せず）の発光により感光体ドラム６１の表面に静電潜像が形成される。ＬＤからの光信号は、公知のポリゴンミラーやレンズを介して感光体に至る。読取部３の上方には、原稿を自動的に搬送する自動原稿搬送装置３０が取り付けられている。
【００２１】
なお、両面印刷時は、定着後の用紙が分岐部９１にて分岐され、反転両面部９で用紙が反転されてレジストローラ２３まで搬送され、レジストローラ２３で用紙のスキューが補正され、裏面画像形成動作に至る。
【００２２】
本実施例の画像形成装置は、上記のように原稿を読み取りデジタル化して用紙に複写する、いわゆるデジタルコピー機としての機能の他に、図示せぬ制御部により原稿の画像情報を遠隔地と授受するファクシミリの機能や、コンピュータが扱う画像情報を用紙上に印刷するいわゆるプリンタの機能を有する多機能の画像形成装置である。上記コピー機としての設定は、図示しない操作部からオペレータが設定を行う。また、どの機能によって形成された画像もすべて排紙収納部４に排出される。なお繰り返しになるが、図示の画像形成装置は単なる一例であって本発明がこの例のものに限定されることを意味するものではない。
【００２３】
そして分岐部９１にて分岐され、反転両面部９を経由して用紙を反転させ反転排紙ローラ５４を経由して排紙ローラ５３から排出された場合、排紙収納部４にスタックされた用紙は画面が下面になった状態であり、コピー、ファクシミリ、プリンタで扱う原稿の処理順が１ページから行われて印刷されても、排紙収納部４から取り出したとき、１ページ目が最上になっており、改めてページを揃えるなどの作業から開放される。
【００２４】
図２は本発明の実施例に給紙装置で用いるトレイの概略斜視図である。図中７０は給紙トレイ底板、７１はサイドフェンス、７２はサイドフェンス移動用ハンドル、７３はトレイ引き出し外装部材である。
【００２５】
図３に示すように、トレイ上の前後サイドフェンス７１、７１間を連携させるワイヤ７１Ａ、７１Ｂは、給紙トレイ底板７０の下部において図３に示すように配廻され、手前側のサイドフェンス７１用のワイヤ７１Ｂは、図４のようにプーリ７６を介して配廻される。ワイヤ７１Ａ、７１Ｂの各端部は巻き取り軸７５に固定されており巻き取り軸７５で巻き取ることによって手前側のサイドフェンス７１はプーリ７６を介して奥側に移動し、奥側のサイドフェンス７１は手前側に移動する。図中８０ａ、８０ｂはサイドフェンス７１移動用のガイド溝である。なお図３の矢印Ｘで示した部分は給紙トレイ底７０を切り欠いて底面側の構成を見せている部分である。
【００２６】
具体的には、奥側のサイドフェンス７１の底部に設けた突起７１ａをガイド溝８０ａから下方へ突出させてワイヤ７１Ａの一端を固定し、他端側をサイドフェンス移動用ハンドル７２側へ伸ばして巻き取り軸７５で巻き取れるようにしてある。またワイヤ７１Ｂは、一端を巻き取り軸７５で巻き取れるように取り付け、他端側をプーリ７６に半周ほど掛け回し、端部を、ガイド溝８０ｂから下方へ突出させてある手前側のサイドフェンス７１の底部に設けた突起７１ｂに固定してある。したがって、サイドフェンス移動用ハンドル７２を操作して巻き取り軸７５で巻き取ることによって手前側のサイドフェンス７１はプーリ７６を介して奥側に移動し、奥側のサイドフェンス７１は手前側に移動することになる。
【実施例２】
【００２７】
図４は本発明の実施例２を示す。本実施例は、フェンス移動用の操作手段としてサイドフェンス移動用ハンドル７２に代えてレバー７７を用いた例で、レバー比により、比較的小さな力でもフェンス７１の移動が可能となる。またレバー７７にワンウエイクラッチを取り付け、図中の矢印Ａ方向に廻す時には巻き上げ軸７５がロックし、矢印Ｂ方向に廻す時にはロックが外れるようにして、レバー７７の操作をやり易くすることができる。
【実施例３】
【００２８】
図５は本発明の実施例３を示す。本実施例は、サイドフェンス７１間の用紙を検知するための手段としてマイクロスイッチ等の近接スイッチ７８を用いた例であり（奥側のサイドフェンスのみ近接スイッチを示す）、サイドフェンス７１をレバー７７（実施例１であればハンドル７２）によって移動させて用紙を規制した時、両側のスイッチ７８、７８がＯＮとなることによってトレイ手前側のトレイ引き出し外装部材７３に設けた点灯手段７９によって認知できるようにしてある。これによりトレイへの用紙セットが目視で確認できる。車イス等を使う作業者などは機械、装置に対して低い位置で作業を行なうことが多いため、用紙セット時も低い位置で確認できると便利である。そのため本実施例のような構成とすれば、身体的弱者にとっても操作性が良くなると考えられる。
【００２９】
なお本実施例では用紙端部の検知にマイクロスイッチなどを使用した例のみ述べているが、光学式センサ、フィラー等をセンサとして用いることも実用上問題ないと考えられる。
【００３０】
すなわち本発明では、用紙の幅方向を規制するサイドフェンスにワイヤを接続し、用紙セット時に奥側のサイドフェンスの場合はワイヤを手前に引くとサイドフェンスは手前側に移動させ、また手前側のサイドフェンスはワイヤを引いた時に奥側に移動するようにプーリを介してワイヤを引く構成とする。このワイヤの端部を同じ軸に巻き付け同じ方向に廻すことにより奥側のサイドフェンスは手前側に移動し、また手前側のサイドフェンスは奥側に移動して用紙の幅方向を規制することができる。これによりワンアクションで用紙のセットが可能となる。
【００３１】
また、巻きつけ軸の先端にワンウエイクラッチを組み入れたレバーを取り付けることによりレバーのテコの利用により軽い力でレバーを廻すだけでサイドフェンスセットが可能となる。
【００３２】
さらに、奥側、手前側の用紙の端部と接する部分にマイクロスイッチなどのスイッチを配し、用紙端部が両側のサイドフェンスに接した時にトレイ前に設置しているランプを点灯させることにより、用紙のセットを目視確認できる。本来は機械本体の操作部で確認する部分であるが車イス等の低い位置で作業を行う作業者に対して作業確認に対して優れるものとすることができるのである。
【図面の簡単な説明】
【００３３】
【図１】本発明に係る画像形成装置の一例である複写装置の概略構成を示す断面図
【図２】本発明の実施例に給紙装置で用いるトレイの概略斜視図
【図３】図３のトレイでのサイドフェンスの作動を示す概略斜視図
【図４】本発明の実施例２を示す斜視図
【図５】本発明の実施例３を示す斜視図
【符号の説明】
【００３４】
１：画像形成部
２：給紙部
３：読取部
４：排紙収納部
６：作像ユニット
７：露光装置
９：反転両面部
１０：複写装置
２１：給紙トレイ
２３：レジストローラ
２４：底板
２５：ピックアップローラ
２６：給紙ローラ
３０：自動原稿搬送装置
３１：コンタクトガラス
３２、３３：読み取り走行体
３４：レンズ
３５：ＣＣＤ
５１：転写装置
５２：定着装置
５３：排紙ローラ
５４：反転排紙ローラ
６１：感光体ドラム
６２：帯電器
６３：現像装置
６４：クリーニング装置
７０：給紙トレイ底板
７１Ａ、７１Ｂ：ワイヤ
７１ａ、７１ｂ：突起
７１：サイドフェンス
７２：サイドフェンス移動用ハンドル
７３：トレイ引き出し外装部材
７５：巻き取り軸
７６：プーリ
７７：レバー
７８：近接スイッチ
７９：点灯手段
８０ａ、８０ｂ：ガイド溝
９１：分岐部
【図１】
2010058968.tif 000003
【図２】
2010058968.tif 000004
【図３】
2010058968.tif 000005
【図４】
2010058968.tif 000006
【図５】
2010058968.tif 000007